(57)【要約】      （修正有）【課題】グラスウールで形成された建材パネルを、よりコンパクトに、建築物に取り付けることが可能な取付構造を提供する。【解決手段】取付構造１は、板形状のグラスウールで形成された建材パネル１０と、建材パネル１０を建築物に取り付ける取付金物２０と、を備え、建材パネル１０は、内部に、取付金物２０が挿通される挿通部１１１が形成され、取付金物２０は、一部が挿通部１１１に挿通され、建材パネル１０の外部に突出する。【選択図】図２
0003229834.tif 000002
【実用新案登録請求の範囲】
【請求項１】
板形状のグラスウールで形成された建材パネルと、前記建材パネルを建築物に取り付ける取付金物と、を備える取付構造であって、
前記建材パネルは、内部に、前記取付金物が挿通される挿通部が形成され、
前記取付金物は、一部が前記挿通部に挿通され、前記建材パネルの外部に突出することを特徴とする取付構造。
【請求項２】
前記挿通部は、前記建材パネルの内部に形成され、前記建材パネルの長辺方向に延びる孔と、前記建材パネルの外部から前記孔まで挿通し、前記孔の幅より狭い寸法の幅で形成され、前記建材パネルの長辺方向に延びる溝と、を有し、
前記取付金物は、
板形状に形成され、前記孔に挿通される受け部と、
前記受け部に接続され、前記溝を挿通して、前記建材パネルの外部に突出する突出部と、を有することを特徴とする請求項１に記載の取付構造。
【請求項３】
複数の前記建材パネルが、端面が互いに対向するように隣接して配置される場合に、複数の前記建材パネルの前記端面にそれぞれ挿入される接続部を、更に備え、
前記接続部は、
一方の前記建材パネルの前記端面に挿入される第１部材と、
他方の前記建材パネルの前記端面に挿入される第２部材と、
前記第１部材と前記第２部材の間に配置され、板状に形成され、複数の前記建材パネルの前記端面に挟まれる中間部材と、を有することを特徴とする請求項１又は２に記載の取付構造。
【請求項４】
前記建材パネルの上面に配置され、前記建材パネルを吊る吊り金物を、更に備え、
前記吊り金物は、
螺旋形状に形成され、一端から前記建材パネルの上面から、前記建材パネルの内部にねじ込まれる螺旋部材と、
一端が前記螺旋部材の基端に接続され、他端が前記建築物又は前記建築物に固定された下地金物に固定される吊り部材と、を有することを特徴とする請求項１から３のいずれかに記載の取付構造。
【考案の詳細な説明】
【技術分野】
【０００１】
本考案は、板形状のグラスウールで形成された建材パネルと、前記建材パネルを建築物に取り付ける取付金物と、を備える取付構造に関する。
【背景技術】
【０００２】
建築物は、鉄筋コンクリート等で形成された構造体に、内装材が取り付けられる。このような内装材は、建築物の用途や、内部に設けられた部屋の大きさ等により、所定の耐火性能が求められる。
【０００３】
このような内装材の一例として、特許文献１には、並行する一対の側面板と一つの前面板からなる断面がコの字状の石膏ボード製ルーバー本体に軽鉄下地材でリップ溝形状の野縁が全長に渡って添着され、野縁が固定金具を介して溝形状の野縁受けに直交して取付られるルーバー材が提案されている。
【先行技術文献】
【特許文献】
【０００４】
【特許文献１】特開２０１８−２０４２６７号公報
【考案の概要】
【考案が解決しようとする課題】
【０００５】
ところで、石膏ボードは、所定の耐火性能は満たすものの、重量が嵩むとともに、加工性が低く、内装材として用いた場合に、設計の自由度が低下するという問題がある。
【０００６】
そこで、グラスウールで形成された建材パネルを、内装材として用いることで、所定の耐火性能は満たしつつ、重量を抑えることで、設計の自由度を向上することが可能となる。
【０００７】
しかしながら、石膏ボードを内装材として、建築物に取り付ける取付構造は、石膏ボードの重量を保持する必要があるため、例えば、特許文献１に示されたルーバー材のように、石膏ボードをコの字状に形成し、その間に野縁を配置するように、大掛かりな取付構造とする必要がある。
【０００８】
一方、グラスウールで形成された建材パネルを、内装材として用いる場合、建材パネルの重量を抑えることが可能となるので、石膏ボードに適用される大掛かりな取付構造は必要なく、コンパクトな取付構造が求められている。
【０００９】
本考案は、上記の点に鑑みてなされたものであり、グラスウールで形成された建材パネルを、よりコンパクトに、建築物に取り付けることが可能な取付構造を提供することを目的とする。
【課題を解決するための手段】
【００１０】
（１）板形状のグラスウールで形成された建材パネルと、前記建材パネルを建築物に取り付ける取付金物と、を備える取付構造であって、
前記建材パネルは、内部に、前記取付金物が挿通される挿通部が形成され、
前記取付金物は、一部が前記挿通部に挿通され、前記建材パネルの外部に突出することを特徴とする取付構造。
【００１１】
（１）の考案において、取付構造は、板形状のグラスウールで形成された建材パネルと、建材パネルを建築物に取り付ける取付金物と、を備える。
建材パネルは、内部に、取付金物が挿通される挿通部が形成されている。
取付金物は、一部が挿通部に挿通され、建材パネルの外部に突出する。
【００１２】
（１）の考案によれば、建材パネルをグラスウールで形成したことで、建材パネルを建築物に取り付ける取付金物の一部を、建材パネルの内部に挿通させることができる。
これにより、建材パネルを保持するための取付金物の一部を、建材パネルの内部に配置することが可能となるので、全体としてコンパクトな構造とすることができる。
したがって、グラスウールで形成された建材パネルを、よりコンパクトに、建築物に取り付けることが可能な取付構造を提供できる。
【００１３】
また、取付構造がコンパクトになると、石膏ボードやアルミパネルのような重量物を、建築物に取り付ける場合に比べ、より多様な状態で、建築物に取り付けることが可能となるので、設計の自由度を向上することができる。
【００１４】
（２）前記挿通部は、前記建材パネルの内部に形成され、前記建材パネルの長辺方向に延びる孔と、前記建材パネルの外部から前記孔まで挿通し、前記孔の幅より狭い寸法の幅で形成され、前記建材パネルの長辺方向に延びる溝と、を有し、
前記取付金物は、
板形状に形成され、前記孔に挿通される受け部と、
前記受け部に接続され、前記溝を挿通して、前記建材パネルの外部に突出する突出部と、を有することを特徴とする（１）に記載の取付構造。
【００１５】
（２）の考案において、挿通部は、孔と、溝と、を有する。
孔は、建材パネルの内部に形成され、建材パネルの長辺方向に延びる。
溝は、建材パネルの外部から孔まで挿通し、孔の幅より狭い寸法の幅で形成され、建材パネルの長辺方向に延びる。
また、取付金物は、受け部と、突出部と、を有する。
受け部は、板形状に形成され、挿通部の孔に挿通される。
突出部は、受け部に接続され、挿通部の溝を挿通して、建材パネルの外部に突出する。
【００１６】
（２）の考案によれば、建材パネルを保持するための取付金物の受け部が、建材パネルの内部に形成された孔に挿通され、孔の幅より狭い寸法の幅で形成された溝に、受け部から建材パネルの外部に突出する突出部が挿通される。これにより、建材パネルの内部に、取付金物の受け部を配置し、この受け部が建材パネルの内部から抜けることなく、建材パネルの外部に突出する突出部を建築物や建築物に固定された下地材等に固定することが可能となる。
【００１７】
（３）複数の前記建材パネルの端面が、互いに対向するように隣接して配置される場合に、複数の前記建材パネルの前記端面にそれぞれ挿入される接続部を、更に備え、
前記接続部は、
一方の前記建材パネルの前記端面に挿入される第１部材と、
他方の前記建材パネルの前記端面に挿入される第２部材と、
前記第１部材と前記第２部材の間に配置され、板状に形成され、複数の前記建材パネルの前記端面に挟まれる中間部材と、を有することを特徴とする（１）又は（２）に記載の取付構造。
【００１８】
（３）の考案において、取付構造は、複数の建材パネルが、端面が互いに対向するように隣接して配置される場合に、複数の建材パネルの端面にそれぞれ挿入される接続部を、更に備える。
接続部は、第１部材と、第２部材と、中間部材と、を有する。
第１部材は、一方の建材パネルの端面に挿入される。
第２部材は、他方の建材パネルの端面に挿入される。
中間部材は、第１部材と第２部材の間に配置され、板状に形成され、複数の建材パネルの端面に挟まれる。
【００１９】
（３）の考案によれば、一方の建材パネルの端面に第１部材を挿入し、他方の建材パネルの端面に第２部材を挿入することで、建材パネルの面側（端面と直交する方向の面）の出入りを揃えることが可能となり、複数の建材パネルの配列を直線上に通すことが可能となる。
また、複数の建材パネルの端面に、中間部材を挟むことで、複数の建材パネルが互いに密着させずに、隙間を設けて配列することが可能となる。これにより、複数の建材パネルの面側において、僅かにズレが生じたとしても、このズレを目立たなくすることが可能となる。
【００２０】
（４）前記建材パネルの上面に配置され、前記建材パネルを吊る吊り金物を、更に備え、
前記吊り金物は、
螺旋形状に形成され、一端から前記建材パネルの上面から、前記建材パネルの内部にねじ込まれる螺旋部材と、
一端が前記螺旋部材の基端に接続され、他端が前記建築物又は前記建築物に固定された下地金物に固定される吊り部材と、を有することを特徴とする（１）から（３）のいずれかに記載の取付構造。
【００２１】
（４）の考案において、取付構造は、吊り金物を、更に備える。
吊り金物は、建材パネルの上面に配置され、建材パネルを吊るものであり、螺旋部材と、吊り部材と、を有する。
螺旋部材は、螺旋形状に形成され、一端から建材パネルの上面から、建材パネルの内部にねじ込まれる。
吊り部材は、一端が螺旋部材の基端に接続され、他端が建築物又は建築物に固定された下地金物に固定される。
【００２２】
（４）の考案によれば、吊り金物は、螺旋部材を、建材パネルにねじ込むことで、建材パネルに固定できる。そして、螺旋部材の基端に接続された吊り部材を、建築物又は建築物に固定された下地金物に固定する。これにより、建材パネルを、長手方向は取付金物により固定し、ピンポイントで（例えば、建材パネルの端部）、吊り金物で吊ることが可能になるので、建材パネルが、外的負荷（例えば、地震等）等により、落下するのを防止できるので、安全性を向上できる。
【考案の効果】
【００２３】
本考案によれば、グラスウールで形成された建材パネルを、よりコンパクトに、建築物に取り付けることが可能な取付構造を提供することができる。
【図面の簡単な説明】
【００２４】
【図１】本考案の一実施形態に係る取付構造を示す斜視図である。
【図２】本考案の一実施形態に係る取付構造を、垂直ルーバーとして用いた場合の構成を説明する図である。図２（ａ）は、取付構造の斜視図である。図２（ｂ）は、図２（ａ）に示す取付構造のａａ断面図である。
【図３】本考案の一実施形態に係る取付構造を、天井パネルとして用いた場合の構成を説明する図である。
【図４】本考案の一実施形態に係る補助部の変形例を説明する図である。
【図５】本考案の一実施形態に係る取付金物の変形例を説明する図である。
【図６】本考案の一実施形態に係る取付金物の変形例を説明する図である。
【図７】本考案の一実施形態に係る取付構造を、天井パネルとして用いた場合において、図３及び図６に示す例と、建材パネルの形状が異なる例を示す図である。
【図８】本考案の一実施形態に係る接続部の構成を説明する図である。図８（ａ）は、複数の建材パネルの接続部分に配置された接続部の斜視図である。図８（ｂ）は、複数の建材パネルの接続部分に配置された接続部を側面から視た図である。
【図９】本考案の一実施形態に係る吊り金物の構成を説明する図である。
【図１０】本考案の一実施形態に係る吊り金物の構成を説明する図である。
【考案を実施するための形態】
【００２５】
以下、本考案の一実施形態を図面に基づいて説明する。以下の説明において、同一又は類似の構成には同一の符号を付し、その説明を省略又は簡略化する。
【００２６】
図１は、本考案の一実施形態に係る取付構造を示す斜視図である。
取付構造１は、板形状のグラスウールで形成された建材パネル１０と、建材パネル１０を建築物に取り付ける取付金物２０と、を備え、建築物（躯体や、屋根等）に取り付けられ、主には、内装を形成する。
【００２７】
建材パネル１０は、板形状に形成され、建築物に取り付けられる。建材パネル１０は、例えば、建築物の内装材として、建築物の天井に取り付けられる天井材、建築物の壁に取り付けられる壁材等の仕上げ材や装飾材として用いられる。
【００２８】
図１に示す例では、建材パネル１０は、建築物の天井の天井下地１００に取り付けられる垂直ルーバーとして、用いられている。図１に示す例では、建材パネル１０は、天井下地１００に、建材パネル１０が延びる方向（長手方向）と直交する方向（天井下地１００が延びる方向）に、所定間隔で複数配列されている。
【００２９】
図２は、本考案の一実施形態に係る取付構造を、垂直ルーバーとして用いた場合の構成を説明する図である。図２（ａ）は、取付構造の斜視図である。図２（ｂ）は、図２（ａ）に示す取付構造のａａ断面図である。
建材パネル１０は、内部部材１１と、外部部材１２と、を備える。
【００３０】
内部部材１１は、グラスウールで形成されている。詳細には、内部部材１１は、フェノール樹脂混入ガラス繊維板で形成されている。また、内部部材１１は、１００ｋｇ／ｍ３〜１３０ｋｇ／ｍ３の密度のグラスウールである。
【００３１】
外部部材１２は、内部部材１１の外表面の少なくとも一部を覆い、グラス不織布を硬化させたものである。詳細には、外部部材１２は、アクリル樹脂混入ガラス繊維不織布を、樹脂により硬化させたものである。
【００３２】
建材パネル１０は、外部部材１２の外表面に、塗装（例えば、アクリル樹脂系塗等）や印刷を施すことが可能である。
【００３３】
建材パネル１０は、取付金物２０が取り付けられ、取付金物２０により、建築物（例えば、図１に示す天井下地１００、躯体、屋根材等）に取り付けられる。
【００３４】
なお、建材パネル１０は、図２に示す例では、断面形状が長方形に形成され、断面形状の長辺方向の端部（上端側）に、取付金物２０が取り付けられ、図１に示すように、断面形状の長辺方向が上下方向に向くように、建築物に取り付けられている。しかしながら、建材パネル１０は、これに限らす、例えば、天井パネルとして用いる場合には、断面形状の短辺方向の端部（上端側）に、取付金物２０が取り付けられ、断面形状の短辺方向が上下方向に向くように、建築物に取り付けられる。また、建材パネル１０は、壁材として用いる場合には、断面形状の短辺方向の端部（上端側）に、取付金物２０が取り付けられ、断面形状の長辺方向が上下方向に向くように、建築物（例えば、躯体や壁下地）に取り付けられる。
【００３５】
また、建材パネル１０は、図２に示す例では、正面視で、長方形に形成されている。しかしながら、建材パネル１０は、これに限らす、例えば、正面視で、正方形、円形、楕円形、波形形状等のデザインされた特定の形状等の任意の形状とすることができる。
【００３６】
また、建材パネル１０は、図２に示す例では、上面視で、辺が直線形状の長方形に形成されている。しかしながら、建材パネル１０は、これに限らす、上面視で、例えば、辺が湾曲する形状や、屈折する形状等の任意の形状とすることができる。
【００３７】
また、建材パネル１０は、複数配列する場合、複数の建材パネル１０を互いに異なる形状としてもよい。具体的には、例えば、建材パネル１０を垂直ルーバーとして用いる場合に、建材パネル１０の上下方向の寸法を、隣接する建材パネル１０と連続的に、徐々に変化させることで、下方から視て、垂直ルーバーが全体として、波打っているようなデザインとすることが可能となる。このように、複数配列する場合、複数の建材パネル１０を互いに異なる形状とすることで、全体として、所定のデザインとすることが可能となる。
【００３８】
このように、建材パネル１０は、例えば、天井パネル、バッフル吸音板、垂直ルーバー、波形ルーバー、水平パネル、曲面パネル、無反射吸音天井板、デザインパネル、吸音間仕切り用パネル、吸音壁パネル等の天井材や壁材として、用いることができる。
【００３９】
このような建材パネル１０によれば、以下の作用効果を奏する。
内部部材１１の少なくとも一部を、不燃材料であるグラス不織布を硬化させたものである外部部材１２で覆った建材パネル１０を提供できる。内部部材１１を構成するグラスウールは、所定の耐火性能（例えば、建築基準法施行令の技術的基準で定められている不燃性能、準不燃性能、難燃性能等）を満たすとともに、単位体積当たりの重量が、石膏ボードより軽く、また、加工性が、石膏ボードより高く、設計の自由度を向上できる。
【００４０】
また、内部部材１１であるグラスウールの外表面を、外部部材１２であるグラス不織布を硬化させたもので覆うことで、グラスウールの外表面の平滑性が向上するとともに、辺の角が立ち、デザイン性を向上させることが可能となる。また、グラスウールの外表面を、グラス不織布を硬化させたもので覆うことで、塗装や印刷の付着性と発色性が向上するので、より設計の自由度を向上できる。
【００４１】
したがって、所定の耐火性能は満たしつつ、重量を抑えることで、設計の自由度を向上することが可能な建材パネル１０を提供することができる。
【００４２】
さらに、建材パネル１０は、図２（ｂ）に示すように、内部に、取付金物２０が挿通される挿通部１１１が形成されている。
挿通部１１１は、孔１１１ａと、溝１１１ｂと、を有する。
【００４３】
孔１１１ａは、建材パネル１０の内部部材１１に形成され、建材パネル１０の断面形状の長辺方向に延びる。孔１１１ａは、建材パネル１０の断面形状の短辺方向の外表面から、所定寸法（例えば、１０ｍｍ〜３０ｍｍ）内部に入った位置に形成されている。また、孔１１１ａは、図２（ｂ）に示す例では、断面形状が四角形状に形成され、少なくとも一部の辺が、建材パネル１０の断面形状の短辺方向の外表面と平行に配置されている。しかしながら、孔１１１ａの断面形状は、四角形状に限らず、少なくとも一部の辺が、建材パネル１０の断面形状の短辺方向の外表面と平行に配置される多角形形状や、円形状、楕円形状に形成してもよい。
【００４４】
溝１１１ｂは、建材パネル１０の外部（外部部材１２の外表面）から孔１１１ａの上端まで挿通し、孔１１１ａの幅より狭い寸法の幅で形成され、建材パネル１０の長辺方向に延びる。
【００４５】
挿通部１１１は、取付金物２０を配置する位置にだけ形成するのが望ましい。このため、製造段階では、挿通部１１１を、建材パネル１０一方側の端部から、取付金物２０の他方側の端部が配置される位置まで形成し、取付金物２０を、建材パネル１０一方側の端部から挿入し、取付金物２０の他方側の端部が挿通部１１１の他方側の端部に当接する位置まで挿入した後に、取付金物２０の一方側の端部から建材パネル１０の一方側の端部までを、樹脂で埋めたり、外部部材１２で覆ったりしてもよい。
【００４６】
取付金物２０は、建材パネル１０を建築物（例えば、図１に示す天井下地１００、躯体、屋根材等）に取り付ける部材である。
図２（ｂ）に示すように、取付金物２０は、一部が挿通部１１１に挿通され、建材パネル１０の外部に突出する。詳細には、取付金物２０は、受け部２１と、突出部２２と、を有する。
【００４７】
受け部２１は、板形状に形成され、挿通部１１１の孔１１１ａに挿通される。すなわち、孔１１１ａは、受け部２１の形状に対応した形状に形成されている。受け部２１は、図２（ｂ）に示す例では、断面形状が四角形状に形成されているが、これに限らず、少なくとも一部の辺が、建材パネル１０の断面形状の短辺方向の外表面と平行に配置される多角形形状や、円形状、楕円形状に形成してもよい。この場合、孔１１１ａの断面形状も、受け部２１の形状に対応した形状に形成される。
【００４８】
突出部２２は、受け部２１に接続され、挿通部１１１の溝１１１ｂを挿通して、建材パネル１０の外部に突出する。突出部２２は、取付金物２０が建材パネル１０に取り付けられた状態で、上下方向に延び、下端が受け部２１に接続され、上端側が建材パネル１０の外部に突出する。
【００４９】
突出部２２は、図２（ｂ）に示す例では、略Ｔ字形状に形成され、下端が受け部２１に接続され、溝１１１ｂを挿通して建材パネル１０の上面に至る垂直部２２１と、垂直部２２１の上端に接続され、建材パネル１０の上面に沿って延び、面が建材パネル１０の上面に当接する板状体であり、建築物（例えば、図１に示す天井下地１００、躯体、屋根材等）に係止される係止部２２２と、を備える。
【００５０】
図２（ａ）に示すように、係止部２２２には、複数の孔２２２ａが、所定間隔で、複数列（図２（ａ）に示すでは２列）形成されている。
図１に示すように、例えば、取付構造１は、係止部２２２の孔２２２ａと、天井下地１００の野縁から延びるビスと、が螺合することで、建材パネル１０が、建築部に取り付けられる。
【００５１】
図３は、本考案の一実施形態に係る取付構造を、天井パネルとして用いた場合の構成を説明する図である。
取付構造１は、建材パネル１０を、天井パネルとして用いた場合、板形状の建材パネル１０の最も広い面積で形成された面を、上方及び下方に向けて配置される。そして、この場合、挿通部１１１の溝１１１ｂは、建材パネル１０の上方の面（上面）に至り、挿通部１１１は、所定間隔（例えば、３００ｍｍや、４５０ｍｍ等）で複数列形成される。
そして、この複数列の挿通部１１１に、それぞれ取付金物２０が挿通される。
【００５２】
また、取付金物２０は、突出部２２と、建築物（例えば、図１に示す天井下地１００、躯体、屋根材等）と、を接続する補助部２３を、備えてもよい。
補助部２３は、例えば、突出部２２の係止部２２２と接続する係止部接続部２３ａと、係止部接続部の一端から上方に延びる立上り部２３ｂと、立上り部の上端から水平方向に延び、建築物（例えば、図１に示す天井下地１００、躯体、屋根材等）に固定される建築物固定部２３ｃと、を有し、断面形状が、略Ｓ字形状に形成されている。
係止部接続部２３ａ及び建築物固定部２３ｃには、係止部２２２の孔２２２ａと同様の孔が形成されている。
【００５３】
図４は、本考案の一実施形態に係る補助部の変形例を説明する図である。
変形例に係る補助部２３Ａは、係止部接続部２３ａ及び立上り部２３ｂを有し、略Ｌ字形状に形成された第１部材２３１と、立上り部２３ｂ及び建築物固定部２３ｃを有し、略Ｌ字形状に形成された第２部材２３２と、を備え、第１部材２３１の立上り部２３ｂと第２部材２３２の立上り部２３ｂとが重ねて配置され、互いに固定される。
【００５４】
第１部材２３１の立上り部２３ｂと、第２部材２３２の立上り部２３ｂとには、上下方向に延びる複数（図４に示す例では２列）の孔が形成されている。補助部２３Ａは、第１部材２３１の立上り部２３ｂと第２部材２３２の立上り部２３ｂとが重ねて配置され、これらの立上り部２３ｂの孔に、例えば、ビス等の固定部材が挿通され、この固定部材により挟持され、第１部材２３１と第２部材２３２とが互いに固定される。また、第１部材２３１と第２部材２３２の孔は、上下方向に延びているので、第１部材２３１と第２部材２３２との固定位置は、上下方向に調整することが可能であり、建築物に対する建材パネル１０の位置（高さ）を調整することが可能となる。
【００５５】
図５及び図６は、本考案の一実施形態に係る取付金物の変形例を説明する図である。
変形例に係る取付金物２０Ａは、突出部２２Ａの形状が、図２に示す本実施形態の取付金物２０と異なる。
【００５６】
取付金物２０Ａは、受け部２１と、突出部２２Ａと、を有する。
突出部２２Ａは、垂直部２２１と、建材パネル１０の上面から離れた位置で、垂直部２２１の上端に接続され、断面形状が下方に向かって開放された略コの字形状に形成され、建築物（例えば、図１に示す天井下地１００、躯体、屋根材等）に係止される係止部２２２Ａと、を備える。
【００５７】
取付金物２０Ａは、図５に示す建材パネル１０を垂直ルーバーとして用いた場合も、図６に示す建材パネル１０を天井パネルとして用いた場合も、本実施形態の取付金物２０と同様に、建材パネル１０に挿入され、建材パネル１０を建築物（例えば、図１に示す天井下地１００、躯体、屋根材等）に取り付ける部材として機能する。
【００５８】
なお、突出部２２（図２（ｂ）参照）や突出部２２Ａ（図５及び図６参照）は略Ｔ字形状に形成されているが、突出部は、これらの形状に限らず、建材パネル１０を建築物（例えば、図１に示す天井下地１００、躯体、屋根材等）に取り付ける部材として機能すれば、略Ｚ字形状や、略Ｌ字形状等の任意の形状とすることができる。
【００５９】
図７は、本考案の一実施形態に係る取付構造を、天井パネルとして用いた場合において、図３及び図６に示す例と、建材パネルの形状が異なる例を示す図である。
図７に示す例では、建材パネル１０が上面視で、楕円形状に形成されている。取付構造１は、建材パネル１０の形状に関わらず、図３及び図６に示す例と同様に、挿通部１１１を形成し、この挿通部１１１に取付金物２０（２０Ａ）を挿入することで、建材パネル１０を建築物に取り付けることができる。
【００６０】
図８は、本考案の一実施形態に係る接続部の構成を説明する図である。図８（ａ）は、複数の建材パネルの接続部分に配置された接続部の斜視図である。図８（ｂ）は、複数の建材パネルの接続部分に配置された接続部を側面から視た図である。
【００６１】
取付構造１は、複数の建材パネル１０が、端面が互いに対向するように隣接して配置される場合に、複数の建材パネル１０の端面にそれぞれ挿入される接続部５０を、更に備える。
接続部５０は、第１部材５１と、第２部材５２と、中間部材５３と、挿入部材５４と、を有する。
【００６２】
第１部材５１は、一方の建材パネル１０の端面に挿入される軸形状に形成されている。
第２部材５２は、他方の建材パネル１０の端面に挿入される軸形状に形成されている。。
中間部材５３は、第１部材５１と第２部材５２の間に配置され、板状に形成され、複数の建材パネル１０の端面に挟まれる。
挿入部材５４は、筒形状に形成され、一方の建材パネル１０と他方の建材パネル１０の端面から、建材パネル１０の内部に、それぞれ挿入され、内部に第１部材５１又は第２部材５２が挿入される。
【００６３】
図９及び図１０は、本考案の一実施形態に係る吊り金物の構成を説明する図である。
図９に示すように、取付構造１は、建材パネル１０の上面に配置され、建材パネル１０を建築物から吊る吊り金物６０を、更に備える。
【００６４】
図１０に示すように、吊り金物６０は、螺旋部材６１と、中間部材６２と、吊り部材６３と、を有する。
螺旋部材６１は、螺旋形状に形成され、一端から建材パネルの上面から、建材パネル１０の内部にねじ込まれる。
中間部材６２は、例えば、フックで構成され、螺旋部材６１に着脱自在に引っ掛けられる。
吊り部材６３は、例えば、ワイヤーで構成され、一端が螺旋部材６１や、螺旋部材６１に引っ掛けられた中間部材６２の基端に接続され、他端が建築物又は建築物に固定された下地金物（例えば、図１に示す天井下地１００等）に固定される。
なお、吊り金物６０は、中間部材６２を省略し、吊り部材６３の端部を、螺旋部材６１の基端に接続してもよい。
【００６５】
なお、図１０に示す例では、建材パネル１０の上面に吊り金物６０を取り付けているが、これに限らず、建材パネル１０の側面（建材パネル１０の短手方向から見た面）や端面（建材パネル１０の長手方向から見た面）に、吊り金物６０を取り付けてもよい。
【００６６】
取付構造１によれば、以下の作用効果を奏する。
建材パネル１０をグラスウールで形成したことで、建材パネル１０を建築物に取り付ける取付金物２０の一部を、建材パネル１０の内部に挿通させることができる。
これにより、建材パネル１０を保持するための取付金物２０の一部を、建材パネル１０の内部に配置することが可能となるので、全体としてコンパクトな構造とすることができる。
したがって、グラスウールで形成された建材パネルを、よりコンパクトに、建築物に取り付けることが可能な取付構造を提供できる。
【００６７】
また、取付構造がコンパクトになると、石膏ボードやアルミパネルのような重量物を、建築物に取り付ける場合に比べ、より多様な状態で、建築物に取り付けることが可能となるので、設計の自由度を向上することができる。
【００６８】
また、建材パネル１０を保持するための取付金物２０の受け部２１が、建材パネル１０の内部に形成された孔１１１ａに挿通され、孔１１１ａの幅より狭い寸法の幅で形成された溝１１１ｂに、受け部２１から建材パネル１０の外部に突出する突出部２２が挿通される。これにより、建材パネル１０の内部に、取付金物２０の受け部２１を配置し、この受け部２１が建材パネル１０の内部から抜けることなく、建材パネル１０の外部に突出する突出部２２を建築物や建築物に固定された下地材等に固定することが可能となる。
【００６９】
また、一方の建材パネル１０の端面に第１部材５１を挿入し、他方の建材パネル１０の端面に第２部材５２を挿入することで、建材パネル１０の面側（端面と直交する方向の面）の出入りを揃えることが可能となり、複数の建材パネル１０の配列を直線上に通すことが可能となる。
また、複数の建材パネル１０の端面に、中間部材５３を挟むことで、複数の建材パネル１０が互いに密着させずに、隙間を設けて配列することが可能となる。これにより、複数の建材パネル１０の面側において、僅かにズレが生じたとしても、このズレを目立たなくすることが可能となる。
【００７０】
また、吊り金物６０は、螺旋部材６１を、建材パネル１０にねじ込むことで、建材パネル１０に固定できる。そして、螺旋部材６１の基端に接続された吊り部材６３を、建築物又は建築物に固定された下地金物に固定する。これにより、建材パネル１０を、長手方向は取付金物２０により固定し、ピンポイントで（例えば、建材パネル１０の端部）、吊り金物６０で吊ることが可能になるので、建材パネル１０が、外的負荷（例えば、地震等）等により、落下するのを防止できるので、安全性を向上できる。
【００７１】
なお、本考案は、上記の実施形態に限定されるものではない。
【符号の説明】
【００７２】
１  取付構造
１０  建材パネル
１１  内部部材
１２  外部部材
２０  取付金物
２０Ａ  取付金物
２１  受け部
２２  突出部
２２Ａ  突出部
２３  補助部
２３Ａ  補助部
２３ａ  係止部接続部
２３ｂ  立上り部
２３ｃ  建築物固定部
５０  接続部
５１  第１部材
５２  第２部材
５３  中間部材
５４  挿入部材
６０  吊り金物
６１  螺旋部材
６２  中間部材
６３  吊り部材
１００  天井下地
１１１  挿通部
１１１ａ  孔
１１１ｂ  溝
２２１  垂直部
２２２  係止部
２２２Ａ  係止部
２２２ａ  孔
２３１  第１部材
２３２  第２部材
【図１】
0003229834.tif 000003
【図２】
0003229834.tif 000004
【図３】
0003229834.tif 000005
【図４】
0003229834.tif 000006
【図５】
0003229834.tif 000007
【図６】
0003229834.tif 000008
【図７】
0003229834.tif 000009
【図８】
0003229834.tif 000010
【図９】
0003229834.tif 000011
【図１０】
0003229834.tif 000012